(57)【要約】      （修正有）【課題】機械式腕時計のゼンマイを指などに負担をかけずに手際よく簡単に巻き上げることが出来るゼンマイ巻き上げ具を提供する。【解決手段】軟質合成樹脂あるいはゴムを素材とした肉厚を有する帯状をなし、表面が竜頭転動面６となっている腕時計用ゼンマイ巻き上げ具の本体１の竜頭転動面６に腕時計２のゼンマイ巻き上げ用の竜頭３を押し当て、長手方向Ａに向って腕時計２を移動させることにより、竜頭転動面６との摩擦によって竜頭３を転動させる。【選択図】図４
2015232530.tif 000002
【特許請求の範囲】
【請求項１】
軟質合成樹脂あるいはゴムを素材とした肉厚を有する帯状をなし、表面が竜頭転動面となっており、該竜頭転動面に腕時計のゼンマイ巻き上げ用の竜頭を押し当て、長手方向に向って時計本体を移動させることにより、竜頭転動面との摩擦によって竜頭が転動させられる様になっていることを特徴とする腕時計用ゼンマイ巻き上げ具。
【発明の詳細な説明】
【技術分野】
【０００１】
この発明は、腕時計の関連器具、詳しくは腕時計のゼンマイを手際よく簡単に巻き上げることが出来るゼンマイ巻き上げ具に関するものである。
【背景技術】
【０００２】
正確さにおいてはクォーツ式腕時計に劣るものの、ゼンマイを駆動源とする機械式腕時計は根強い人気を保っている。
【０００３】
機械式腕時計には手巻き式腕時計と自動巻腕時計があり、後者には手巻き機能付きのものも存在している。
【０００４】
これら手巻き式腕時計と手巻き機能付き自動巻腕時計では、腕時計本体側面に突設されている竜頭を指を用いて一方方向に回転させることにより、内蔵されているゼンマイを巻き上げ、その反発力を駆動源として用いる。
【０００５】
又、これら腕時計において、ゼンマイを完全に巻き上げるには４０回くらい竜頭を回転させる必要がある。
【先行技術文献】
【特許文献】
【０００６】
【特許文献１】なし
【非特許文献】
【０００７】
【非特許文献１】なし
【発明の概要】
【発明が解決しようとする課題】
【０００８】
機械式腕時計をベストコンディションに保つには、常に駆動させていることが肝要で、毎日定期的にゼンマイを巻き上げることが推奨されている。
【０００９】
又、時計小売店においては、展示されている腕時計が整然と正しく現在時刻を示していることが商品としての腕時計の価値を高める何よりの手段であり、展示用の腕時計は努めて駆動状態に置く様にしているのが普通である。
しかしながら、腕時計の竜頭は極めて小さな部材であり、これらを指で４０回も回転させるのは大変手間のかかる作業であり、小売店において毎回何十本の腕時計の竜頭を巻く作業は想像に絶する過酷な労働であり、指を痛めたり、皮膚が剥けてしまうこともあった。
【００１０】
本発明者は、手巻き式腕時計や手巻き機能付き自動巻腕時計のゼンマイの巻き上げに関する上記の問題を解決すべく鋭意研究を行った結果、極めて簡単な構造ながら、指などに負担をかけずにゼンマイを手際よく簡単に巻き上げることが出来る画期的なゼンマイ巻き上げ具を開発することに成功し、本発明としてここに提案するものである。
【課題を解決するための手段】
【００１１】
軟質合成樹脂あるいはゴムを素材とした肉厚を有する帯状をなし、表面が竜頭転動面となっている腕時計用ゼンマイ巻き上げ具の竜頭転動面に腕時計のゼンマイ巻き上げ用の竜頭を押し当て、長手方向に向って時計本体を移動させることにより、竜頭転動面との摩擦によって竜頭を転動させられる様にして、上記課題を解決した。
【発明の効果】
【００１２】
腕時計を指で保持して竜頭の側面をゼンマイ巻き上げ具の本体の竜頭転動面に押し当て、その状態のまま、長手方向一端側から他端側に向けて腕時計を一気に移動させると、竜頭転動面との摩擦によって竜頭は転動し、それによって腕時計に内蔵されているゼンマイは巻き上げられる。
【００１３】
この発明に係る腕時計用ゼンマイ巻き上げ具は極めて簡単な構造でありながら、手際よく簡単に腕時計のゼンマイを巻き上げることが出来るので、毎日大量の腕時計のゼンマイを巻かなければならない時計小売店だけではなく、機械式腕時計の愛用者にとっても、すぐれた利便性を有している。
【００１４】
又、極めて簡単な構造で、故障の心配はほとんどなく、製造も容易で安価に提供でき、しかも竜頭転動面を各種表示の為のスペースとして利用することもできるので、販売促進用のノベルティグッズなどとしても、大いに利用価値がある。
【図面の簡単な説明】
【００１５】
【図１】この発明に係る腕時計用ゼンマイ巻き上げ具の実施例１の斜視図。
【図２】他の実施例の斜視図。
【図３】更に他の実施例の斜視図。
【図４】図１に示す実施例の使用状況を示した斜視図。
【発明を実施するための形態】
【００１６】
軟質合成樹脂あるいはゴムを素材とした肉厚を有する帯状をなし、表面が竜頭転動面となっている腕時計用ゼンマイ巻き上げ具の竜頭転動面に腕時計のゼンマイ巻き上げ用の竜頭を押し当て、長手方向に向って時計本体を移動させることにより、竜頭転動面との摩擦によって竜頭を転動させ、ゼンマイを巻き上げる様にした点に最大の特徴が有する。
【実施例１】
【００１７】
図１はこの発明に係る腕時計用ゼンマイ巻き上げ具の実施例１の斜視図である。
【００１８】
図中１は軟質合成樹脂あるいはゴムを素材とした腕時計用ゼンマイ巻き上げ具の実施例１の本体であり、肉厚を有する長尺帯状を呈しており、その表面は腕時計２の竜頭３を転動させる為の竜頭転動面６となっている。
【００１９】
なお、この実施例１においては、本体１は厚さが均等な直方体状をなしているが、図２に示すものの様に、表面側の中央が上方に膨出したカマボコ形断面のものであったり、図３に示すものの様に、略三角形断面のものであっても良く、要するに、腕時計２の竜頭３の側面４を竜頭転動面６に確実に押し付けられる様な断面形状になっていれば良いのである。
【００２０】
又、この実施例においては、本体１の長辺は約１５０ｍｍ、短辺は約５０ｍｍ、肉厚は約５ｍｍであるが、この寸法に限る必要はもちろんなく、長辺が長い程一動作でのゼンマイの巻き上げ量が多くなるが、収納の際の利便性等を考慮すれば、この程度の寸法が好ましい。
【００２１】
更に、この本体１は、竜頭３の側面４を竜頭転動面６に押し当てた場合、竜頭３がわずかに沈み込む程度の弾性を有しており、それより軟らかいと、竜頭３が沈み込みすぎて竜頭３の転動が円滑に行えなくなり、逆に、それより固いと竜頭３が滑ってしまい転動しずらくなるので、共に好ましくない。
【００２２】
又、この竜頭転動面６には、この腕時計用ゼンマイ巻き上げ具の使用法を図示したり、各種商品や活動を宣伝する為のメッセージなどを印刷しても良い。
【００２３】
この実施例１は、上記の通りの構成を有するものであり、図４に示す様に、腕時計２を指で保持して竜頭３の側面４をゼンマイ巻き上げ具の本体１の竜頭転動面６に押し当て、その状態のまま、図４において矢印Ａで示す様に、腕時計２を長手方向一端側から他端側に向けて一気に移動させると、竜頭転動面６との摩擦によって竜頭３は転動し、それによって腕時計２に内蔵されているゼンマイは巻き上げられる。
【００２４】
なお、この実施例においては、腕時計２を長手方向に２回移動させるだけで、竜頭３を４０回程度転動させ、ゼンマイを一杯に巻き上げることが出来た。
【００２５】
この様に、この発明に係る腕時計用ゼンマイ巻き上げ具は極めて簡単な構造でありながら、手際よく簡単に腕時計のゼンマイを巻き上げることが出来るので、毎日大量の腕時計のゼンマイを巻かなければならない時計小売店だけではなく、機械式腕時計の愛用者にとっても、すぐれた利便性を有している。
【００２６】
又、極めて簡単な構造で、故障の心配はほとんどなく、製造も容易で、安価に提供でき、しかも竜頭転動面を各種表示の為のスペースとしても利用できるので、各種商品の販売促進用のノベルティグッズなどとしても大いに利用価値がある。
【産業上の利用可能性】
【００２７】
腕時計用使用者や腕時計の小売店はもちろん、各種商品の販売促進用のノベルティグッズとして広汎な産業分野において利用可能である。
【符号の説明】
【００２８】
１．本体
２．腕時計
３．竜頭
４．側面
６．竜頭転動面
【図１】
2015232530.tif 000003
【図２】
2015232530.tif 000004
【図３】
2015232530.tif 000005
【図４】
2015232530.tif 000006